(57)【要約】【要  約】【課  題】  携帯用端末機に搭載され、かつ摂取カロリーと消費カロリーとの管理が可能なカロリー管理装置を提供する。【解決手段】  種々の料理を飲食することによって摂取する摂取カロリーと種々の運動を行なうことによって消費する消費カロリーとを記憶した基本データ記憶装置と、インプットされた料理名と運動名に対応する摂取カロリーと消費カロリーから蓄積カロリー量を算出する演算装置と、蓄積カロリー量とインプットされた料理名と運動名を記憶する実績データ記憶装置とを有し、かつ携帯用端末機に搭載されるカロリー管理装置である。【選択図】        図１
0003146604.tif 000002
【実用新案登録請求の範囲】
【請求項１】
種々の料理を飲食することによって摂取する摂取カロリーと種々の運動を行なうことによって消費する消費カロリーとを記憶した基本データ記憶装置と、インプットされた料理名と運動名に対応する摂取カロリーと消費カロリーから蓄積カロリー量を算出する演算装置と、前記蓄積カロリー量と前記インプットされた料理名と運動名を記憶する実績データ記憶装置とを有し、かつ携帯用端末機に搭載されることを特徴とするカロリー管理装置。
【考案の詳細な説明】
【技術分野】
【０００１】
本考案は、携帯用端末機（たとえば携帯電話機，携帯ゲーム機，ノート型パソコン，電子手帳，電子辞書、あるいは携帯電話型専用機器等）に搭載されるカロリー管理装置に関し、詳しくは飲食によって摂取するカロリーと運動によって消費するカロリーとを用いて、蓄積されるカロリー量を算出することができるカロリー管理装置に関するものである。
【背景技術】
【０００２】
携帯電話機，携帯ゲーム機，ノート型パソコン，電子手帳，電子辞書等の携帯用端末機は、小型化および軽量化が著しく進展し、その利便性が向上したことによって、今日では広く普及している。
一方で、近年、健康維持の関心が高まる中で、肥満，中性脂肪過多，糖尿病等の疾病を患う人は、蓄積されるカロリー量を制限するために、飲食によって摂取するカロリー（以下、摂取カロリーという）や運動によって消費するカロリー（以下、消費カロリーという）を記録して、飲食や運動に気を配り、疾病の症状を改善することが推奨されている。
【０００３】
ところが記録用紙（たとえばノート，メモ帳等）に摂取カロリーや消費カロリーを記録する場合は、その記録用紙と筆記用具を外出先にも携行しなければならないので煩わしいばかりでなく、飲食した料理の食材に応じた摂取カロリーと運動した種目や所要時間に応じた消費エネルギーをそれぞれ照合しなければならないので、記録するための負荷が大きくなるという問題がある。
【０００４】
そこで、カロリーを管理する機能を携帯用端末機に搭載して、このような問題を解消する技術が提案されている。
特許文献１には、携帯電話機を使用して、運動ゲームによって消費したカロリーを管理する技術が開示されている。しかし、この技術では、消費カロリーを管理することは可能であるが、摂取カロリーを管理できない。
【特許文献１】特開2002-85618号公報
【考案の開示】
【考案が解決しようとする課題】
【０００５】
本考案は、携帯用端末機に搭載され、かつ摂取カロリーと消費カロリーとの管理が可能なカロリー管理装置を提供することを目的とする。
【課題を解決するための手段】
【０００６】
本考案は、種々の料理を飲食することによって摂取する摂取カロリーと種々の運動を行なうことによって消費する消費カロリーとを記憶した基本データ記憶装置と、インプットされた料理名と運動名に対応する摂取カロリーと消費カロリーから蓄積カロリー量を算出する演算装置と、蓄積カロリー量とインプットされた料理名と運動名を記憶する実績データ記憶装置とを有し、かつ携帯用端末機に搭載されるカロリー管理装置である。
【考案の効果】
【０００７】
本考案によれば、携帯用端末機に搭載され、かつ摂取カロリーと消費カロリーとの管理が可能なカロリー管理装置を得ることができる。
【考案を実施するための最良の形態】
【０００８】
本考案のカロリー管理装置は携帯用端末機（たとえば携帯電話機，携帯ゲーム機，ノート型パソコン，電子手帳，電子辞書、あるいは携帯電話型専用機器等）に搭載される。図１は携帯用端末機の一例として携帯電話機を示す平面図であり、表示画面１と入力キー２が配設されている。
まず、本考案のカロリー管理装置を構成する基本データ記憶装置について説明する。本考案では種々の料理を飲食することによって摂取する摂取カロリーを基本データ記憶装置に記憶させる。つまり、料理の名称とその料理の摂取カロリーの基準値とを対応して記憶させる。こうすることによって、カロリー管理を行なう対象となる人（以下、カロリー管理対象者という）は入力キー２を操作して料理名をインプットすることになるので、インプット操作の簡略化を達成できる。しかも、料理名と摂取カロリーとの照合をカロリー管理装置が行なうので、カロリー管理対象者は料理名をインプットするだけで良い。
【０００９】
料理に使用された食材に応じた摂取カロリーを基本データ記憶装置に記憶させることも可能であるが、カロリー管理対象者は各食材（たとえば野菜の種類，魚貝の種類等）をそれぞれインプットしなければならないので、極めて煩雑になる。そのため本考案では、種々の料理に対応する摂取カロリーを基本データ記憶装置に記憶させる。
さらに基本データ記憶装置には、種々の運動を行なうことによって消費する消費カロリーを記憶させる。つまり、運動の名称とその運動の消費カロリーの基準値とを対応して記憶させる。こうすることによって、カロリー管理者が入力キー２を操作して運動名（必要に応じて所要時間等）をインプットすれば、運動名と消費カロリーとの照合をカロリー管理装置が行なう。
【００１０】
次に、演算装置について説明する。カロリー管理対象者が入力キー２を操作して料理名や運動名をインプットすると、その料理と運動に対応する摂取カロリーと消費カロリーをそれぞれ基本データ記憶装置から読み取る。カロリー管理対象者に蓄積されたカロリー量（以下、蓄積カロリー量という）は、摂取カロリーと消費カロリーの差であり、〔蓄積カロリー量〕＝〔摂取カロリー〕−〔消費カロリー〕で算出される。演算装置は、この蓄積カロリー量を算出する。
【００１１】
次に、実績データ記憶装置について説明する。本考案では、演算装置が算出した蓄積カロリー量を実績データ記憶装置に記憶させる。さらに実績データ記憶装置には、カロリー管理対象者がインプットした料理名や運動名も記憶させる。
このようにして実績データを保存することによって、それらの実績データを様々な形式に変換して表示画面１に表示させることができる。たとえば、蓄積カロリー量の推移を示すグラフ、あるいは特定の月日の料理や運動の一覧表等に変換して、カロリー管理対象者の要求に適した形式で表示させることが可能である。また、実績データ記憶装置と基本データ記憶装置をリンクさせて、特定の月日の料理や運動に対応する摂取カロリーや消費カロリーの一覧表、あるいは摂取カロリーや消費カロリーの推移を示すグラフ等も表示できる。
【００１２】
以上に説明した通り、本考案のカロリー管理装置は携帯用端末機に搭載され、しかもインプット操作が簡略化されたので、十分かつ綿密にカロリー管理を行なうことができる。携帯用端末機は、日常生活で身近に所持し、外出の際にも携行するものであるから、臨機応変に料理名や運動名をインプットすることが可能であり、かつ実績データをグラフや一覧表に変換して表示することが可能である。
【００１３】
なお、本考案と同様の構成のカロリー管理装置を専用のサーバー（以下、カロリー管理サーバーという）に搭載しても、本考案と同等のカロリー管理を行なうことができる。その場合は、携帯用端末機からインターネットを経由してカロリー管理サーバーと交信し、入力キー２を介して、料理名や運動名をインプットする、あるいは表示画面１に実績データを表示する等の操作を行なう。カロリー管理サーバーに搭載される基本データ記憶装置，演算装置，実績データ記憶装置の機能は、本考案と同じであるから説明を省略する。また、カロリー管理対象者が行なう料理名や運動名のインプット、あるいは実績データの表示も本考案と同様である。
【実施例】
【００１４】
廃棄される携帯電話機の中から選別した折り畳み式の携帯電話機（幅５cm，長さ９cm，厚さ１cm）をカロリー管理装置の実験に供した。すなわち図１に示すような携帯電話機に基本データ記憶装置，演算装置，実績データ記憶装置と、それらを機能させるためのプログラムをインストールしたメモリー，そのプログラムを実行するためのプロセッサーとを配設した。
【００１５】
この機器を日常生活で携帯し、飲食した後あるいは運動した後で料理名や運動名をインプットした。したがって、料理名や運動名を全てインプットすることが可能であり、摂取カロリーと消費カロリーを正確に管理できた。また必要に応じて実績データをグラフや一覧表に変換して表示させることによって、摂取カロリーと消費カロリーを調整し、蓄積カロリー量を適正に維持することができた。
【図面の簡単な説明】
【００１６】
【図１】携帯用端末機の一例を模式的に示す平面図である。
【符号の説明】
【００１７】
１  表示画面
２  入力キー
【図１】
0003146604.tif 000003